(57)【要約】【課題】加湿器の設置場所を気にしなくとも操作部の操作性と表示部の視認性を向上できるとともに、操作部の部品点数を増やすことなく使い勝手がよい加湿器を提供することを目的とする。【解決手段】運転状況に関係なく常時室内の湿度を表示部に数値で表示する制御手段を備えた加湿器において、操作部を本体の上面に配置し、且つ表示部を本体の側面に配置するとともに、制御手段は、運転停止中に操作部の湿度設定スイッチを所定時間連続押下することにより運転停止中は表示部に室内の湿度を表示しないものである。【選択図】図４
2007046835.tif 000002
【特許請求の範囲】
【請求項１】
本体と、吸込口から室内の空気を吸い込み吹出口に送風する送風機と、前記吸込口近傍に設けられ室内の湿度を検出する湿度センサと、運転及び各種設定指示を行なう操作部と、室内の湿度を数値で表示する表示部と、運転状況に関係なく常時前記表示部に室内の湿度を表示する制御手段を備えた加湿器において、前記操作部を本体の上面に配置し、且つ前記表示部を本体の側面に配置するとともに、前記制御手段は、運転停止中に前記操作部の特定スイッチを所定時間連続押下することにより運転停止中は前記表示部に室内の湿度を表示しないことを特徴とする加湿器。
【請求項２】
請求項１記載の加湿器において、操作部に目標の湿度を設定する湿度設定スイッチを設け、制御手段は、運転停止中に湿度設定スイッチを所定時間連続押下することにより運転停止中は表示部に室内の湿度を表示しないことを特徴とする加湿器。
【発明の詳細な説明】
【技術分野】
【０００１】
本発明は、室内の乾燥を防止するための加湿器に関するものである。
【背景技術】
【０００２】
従来の加湿器では、運転スイッチをオンすると湿度センサにより室内の湿度を検出し、この検出値と湿度設定スイッチにより設定された設定値や室温センサによって検出した室温などから加湿量を総合的に判断し、その判断に基づいて加湿量を制御するものが一般的である。また、使用者が室内の湿度が設定値に対してどの位低いのか、また、どの位高いのかを容易に判断するために、湿度センサが検出した室内の湿度を操作部内に配置した表示部に数値で表示するものがある。
【０００３】
さらに、運転停止中には加湿器が動作していないため、表示部により室内の湿度がどの位なのか分からず、使用者が加湿器を運転するタイミングがつかみづらく有効活用できなかった。そこで、操作部に専用の切換スイッチを設けて運転停止中も表示部を動作させて室内の湿度を数値で表示するようにしたことから、加湿器を運転するタイミングがつかみ易くなり使い勝手の良い加湿器となった。
【特許文献１】特開２００１−３３０８０号公報
【発明の開示】
【発明が解決しようとする課題】
【０００４】
しかしながら、従来の加湿器では表示部を操作部内に配置しているため、操作部を本体の側面に配置した加湿器では（特許文献１）、床面に加湿器を置いた場合、遠くから表示部の湿度表示を確認できるが操作性が悪くなる。一方、操作部を本体の上面に配置した加湿器では、床面に加湿器を置いた場合、操作性は良くなるが遠くから表示部の湿度表示を確認できなくなる。したがって、操作部内に表示部を配置した加湿器では、加湿器の設置場所を気にしなければならず使い勝手が悪いものであった。
【０００５】
さらに、従来の加湿器では表示部を運転停止中に作動させるために操作部に専用の切換スイッチを設けていることから、操作部の部品点数が多くなり製品コストが上昇するという問題があった。
【０００６】
本発明は上記課題を解決するためのもので、加湿器の設置場所を気にしなくとも操作部の操作性と表示部の視認性を向上できるとともに、操作部の部品点数を増やすことなく使い勝手がよい加湿器を提供することを目的とする。
【課題を解決するための手段】
【０００７】
本体と、吸込口から室内の空気を吸い込み吹出口に送風する送風機と、前記吸込口近傍に設けられ室内の湿度を検出する湿度センサと、運転及び各種設定指示を行なう操作部と、室内の湿度を数値で表示する表示部と、運転状況に関係なく常時前記表示部に室内の湿度を表示する制御手段を備えた加湿器において、前記操作部を本体の上面に配置し、且つ前記表示部を本体の側面に配置するとともに、前記制御手段は、運転停止中に前記操作部の特定スイッチを所定時間連続押下することにより運転停止中は前記表示部に室内の湿度を表示しないことを特徴とする加湿器に係わるものである。
【０００８】
また、請求項1記載の加湿器において、操作部に目標の湿度を設定する湿度設定スイッチを設け、制御手段は、運転停止中に湿度設定スイッチを所定時間連続押下することにより運転停止中は表示部に室内の湿度を表示しないことを特徴とする加湿器に係わるものである。
【発明の効果】
【０００９】
本発明によれば、加湿器の設置場所を気にしなくても操作部の操作性と表示部の視認性を向上できる使い勝手のよい加湿器を提供することができる。また、運転停止中は表示部に室内の湿度を表示しないようにできるため、運転停止中の表示を必要としない使用者にとって煩わしさを解消できるとともに、表示部の省エネを図ることができる。
【発明を実施するための最良の形態】
【００１０】
好適と考える本発明の実施形態を、本発明の作用を示して簡単に説明する。
【００１１】
本発明の加湿器は、操作部を本体の上面、表示部を本体の側面にそれぞれ配置し、運転停止中に操作部の特定スイッチを所定時間連続押下することにより運転停止中は表示部に室内の湿度を表示しない制御手段を備えたものである。
【００１２】
具体的には、運転状況に関係なく常時室内の湿度を表示部に数値で表示する制御手段を備えた加湿器において、操作部を本体の上面に配置し、且つ表示部を本体の側面に配置するとともに、制御手段は、運転停止中に操作部の湿度設定スイッチを所定時間連続押下することにより運転停止中は表示部に室内の湿度を表示しないものである。
【００１３】
つまり、操作部を加湿器本体の上面に配置したのでスイッチ等の操作がし易くなり操作性が向上し、さらに室内の湿度を数値で表示する表示部を加湿器本体の側面に配置したので遠くからでも表示内容を確認できる。また、運転停止中に表示部に室内の湿度を表示しないようにするには、専用の切換スイッチを設けなくとも操作部の湿度設定スイッチを所定時間連続押下するだけでよいので操作部の部品点数を増やす必要がない。
【００１４】
したがって、加湿器の設置場所を気にしなくとも操作部の操作性と表示部の視認性を向上できるので使い勝手のよい加湿器となる。また、操作部の部品点数を増やすことがなく製品コストの上昇を抑えることができるとともに、運転停止中は操作部の湿度設定スイッチを所定時間連続押下するだけの簡単操作で表示部に室内の湿度を表示しないようにできるため、運転停止中の表示を必要としない使用者にとって煩わしさを解消できるとともに、表示部の省エネを図ることができる。
【実施例】
【００１５】
以下本発明の一実施例を図面により説明する。
【００１６】
図１より、１は加湿器の本体、２は本体１の上部に位置し加湿器の運転を制御するための操作部で、この操作部２の下部、つまり本体１の側面には本体１内で加湿された空気を室内に放出ための吹出口３を設けている。４は室内の空気を本体１内部に取り入れるための吸込口で、この吸込口４には図３に示すように室内の湿度を検出する湿度センサ５を設けている。さらに、６は湿度センサ５が検出した室内の湿度を数値で表示する表示部であり、本実施例の表示部６は７セグメントのＬＥＤから構成されている。
【００１７】
図２は加湿器の縦断面構成図であり、７は図３に示す給水タンク８から供給されて水を一定水量貯える水槽部、９は水槽部７内に配置され水槽部７の水を吸水して湿潤する気化フィルターである。さらに、１０は図３に示すように室内空気を吸込口４から取り込み湿潤している気化フィルター９を通過させ加湿した空気として吹出口３より室内に放出する送風機である。１１は送風機１０と気化フィルター９の間に配置され送風機１０によって吸込口４から取り込まれた空気を加熱する温風用ヒータである。
【００１８】
図４は制御装置の構成を示すブロック図であり、１２は制御手段としてのマイクロコンピュータ（以下、マイコンと記す）であり、このマイコン１２の入力側には、図５に示すように操作部２に配置した運転スイッチ１３と湿度設定スイッチ１４が接続されている他、吸込口４の近傍に設けられた湿度センサ５が接続されている。また、マイコン１２の出力側には、室内の湿度を数値で表示する表示部６と送風機１０、温風用ヒータ１１が接続されている。
【００１９】
以上の構成における動作を説明する。加湿器を運転する場合、先ず給水タンク７に水を入れ、これを本体１に挿入し指定位置に設置する。これにより水槽部７には給水タンク８から一定量の水が流れ出し一定水位の水が貯えられる。その結果、水槽部７に設置されている気化フィルター９は毛細管現象により水槽部７の水を吸い上げ湿潤する。
【００２０】
この状態で操作部２の運転スイッチ１３を入れ、さらに湿度設定スイッチ１４で目標とする湿度を選択すると、送風機１０が始動して室内の空気は吸込口４から加湿器の本体１内に取り入れられる。このとき、吸込口４の近傍に設けられている湿度センサ５により室内の湿度が検出され、その情報がマイコン１２に送られる。
【００２１】
マイコン１２は、湿度設定スイッチ１４により設定された設定湿度と湿度センサ５が検出した検出湿度の差を算出し、例えば、検出湿度が設定湿度より小さく、その差が大きい場合には、最大加湿量で設定湿度に早く近づける加湿制御が行なわれる。その後、検出湿度が設定湿度に対して所定値以上となるか、または設定湿度以上を一定時間維持すれば検出湿度が安定領域に入ったと判定し所定の加湿量にて加湿運転を継続する。
【００２２】
尚、図２、図３における白矢印は本体１内に取り入れられた空気の流れを、網掛け矢印は水分を含んだ加湿空気の流れを表すものである。
【００２３】
さらに、マイコン１２は湿度センサ５から提供された検出湿度に基づいて表示部６に室内の湿度を数値で表示するよう指示を出すので、運転中は表示部６に室内の湿度が継続して表示される。したがって、使用者は遠くからでも本体１の側面に設けられた表示部６により室内の湿度を確認できるため、加湿器の設置場所を気にしなくとも操作部２を本体１の上面に設けたことにより操作性を向上できると同時に、表示部６の視認性も向上できるのである。
【００２４】
次に、運転スイッチ１３により加湿器の運転を停止した場合には、マイコン１２は送風機１０と温風用ヒータ１１を停止するため加湿は行なわれないが、表示部６には運転中と同様に湿度センサ５からの検出湿度に基づいて室内の湿度が表示される。したがって、使用者は運転停止中でも室内の湿度を確認することができるので、室内の湿度が低下した場合には直ちに加湿器を運転することができる。しかし、運転停止中に室内の湿度の表示を必要としない使用者にとっては、特に就寝中など室内が暗い状況の中で表示部６の明るさは煩わしいものである。
【００２５】
そこで、使用者が運転停止中に操作部２の湿度設定スイッチ１４を所定時間連続押下（本実施例では３秒）すると、マイコン１２は表示部６の表示を停止するのである。そして、運転停止中は表示部６には何も表示しない状態を維持することで、例えば就寝中に表示部６の明るさが煩わしいというような問題も解消できるとともに、表示部６の消費電力も低減できるのである。
【００２６】
また、操作部２に設けた湿度設定スイッチ１４を兼用して表示部６の表示を切換えるため、操作部２に専用のスイッチを設ける必要がなく、操作部２の部品点数を増やすことがなく製品コストの上昇を抑えることができるのである。
【図面の簡単な説明】
【００２７】
【図１】本発明の実施例を示す傾視図である。
【図２】本発明の実施例を示す縦断面構成図である。
【図３】図２におけるＡ−Ａ断面構成図である。
【図４】本発明の実施例の制御装置を示すブロック図である。
【図５】本発明の実施例の操作部を示す説明図である。
【符号の説明】
【００２８】
１    本体
２    操作部
３    吹出口
４    吸込口
５    湿度センサ
６    表示部
１０  送風機
１２  マイクロコンピュータ（制御手段）
１４  湿度設定スイッチ  
【図１】
2007046835.tif 000003
【図２】
2007046835.tif 000004
【図３】
2007046835.tif 000005
【図４】
2007046835.tif 000006
【図５】
2007046835.tif 000007